【手続補正書】
【提出日】令和2年12月25日(2020.12.25)
【手続補正１】
【補正対象書類名】明細書
【補正対象項目名】００６１
【補正方法】変更
【補正の内容】
【００６１】
図中の要素の説明は、別段の指示がない限り、他の図中の対応する要素に等しく適用されるものと理解されたい。上述の実施形態は、本発明の様々な態様の説明を容易にするために詳細に記載されたものであるため、本発明は、上述の特定の実施例及び実施形態に限定されるものと見なされるべきではない。むしろ、本発明は、添付の特許請求の範囲及びそれらの同等物によって定義される本発明の範囲内に含まれる様々な変形形態、同等のプロセス、及び代替的デバイスを含めた、本発明の全ての態様を包含するものと理解されるべきである。以下、例示的実施形態について述べる。
［１］
第１及び第２の主表面を画定する基材を備える光制御フィルムであって、
前記第１の主表面が、前記第１の主表面の法線に対して実質的に垂直な第１の方向に延びる複数のルーバーを含み、
前記第２の主表面が、前記第１の方向に延びる複数の直線的微細構造を含む、
光制御フィルム。
［２］
前記複数のルーバーの各ルーバーが、前記複数の微細構造の対応する微細構造と実質的に整列している、［１］に記載の光制御フィルム。
［３］
前記複数のルーバーの各ルーバーが、前記第１の主表面の前記法線に平行に画定された軸に沿って、前記複数の微細構造の対応する微細構造の谷と整列する、［２］に記載の光制御フィルム。
［４］
前記複数のルーバーが、隣接するルーバー間で約１０マイクロメートル（μｍ）〜約２００μｍの幅を画定する、［１］〜［３］のいずれか一項に記載の光制御フィルム。
［５］
前記複数の微細構造の各微細構造が、約１０μｍ〜約２００μｍである微細構造の幅を画定する、［１］〜［４］のいずれか一項に記載の光制御フィルム。
［６］
前記ルーバーの幅及び前記微細構造の幅が、実質的に同じである、［１］〜［５］のいずれか一項に記載の光制御フィルム。
［７］
前記複数のルーバーが、ゼロより大きく、かつ約１５度未満の傾斜角度を画定する、［１］〜［６］のいずれか一項に記載の光制御フィルム。
［８］
前記複数のルーバーが、光吸収材料を含み、各ルーバーが、光透過性材料によって分離されている、［１］〜［７］のいずれか一項に記載の光制御フィルム。
［９］
前記複数の微細構造が、前記光透過性材料を含む、［８］に記載の光制御フィルム。
［１０］
光出力面を画定するバックライトと、
前記光出力面に隣接して配置された光制御フィルムであって、
第１及び第２の主表面を画定する基材を含む、光制御フィルムと、
を備えるディスプレイアセンブリであって、
前記第１の主表面が、前記第１の主表面の法線に対して実質的に垂直な第１の方向に延びる複数のルーバーを含み、
前記第２の主表面が、前記第１の方向に延びる複数の直線的微細構造を含み、
前記バックライトからの光が、前記光出力面から出て、前記光制御フィルムの前記第２の主表面に入り、前記第１の主表面を通って出る、
ディスプレイアセンブリ。
［１１］
前記光制御フィルムの前記第１の主表面を出る光が、前記第１の方向に垂直な第１の平面内に第１のセットの特性視野角を画定し、前記第１のセットの特性視野角が、前記光制御フィルムの前記第１の主表面の前記法線から測定して、約２０〜約７０度の視野半角を画定する、［１０］に記載のディスプレイアセンブリ。
［１２］
前記バックライトから発し、前記第１の主表面を通って出る光の少なくとも９０％が、第１のセットの特性視野角に含まれる、［１１］に記載のディスプレイアセンブリ。
［１３］
前記第１のセットの特性視野角の前記視野半角が、約２０度〜約３０度である、［１０］〜［１２］のいずれか一項に記載のディスプレイアセンブリ。
［１４］
前記バックライトから発する光の少なくとも８５％が、前記光制御フィルムの前記第１の主表面を通って出る、［１０］〜［１３］のいずれか一項に記載のディスプレイアセンブリ。
［１５］
前記複数のルーバーの各ルーバーが、前記複数の微細構造の対応する微細構造と実質的に整列している、［１０］〜［１４］のいずれか一項に記載のディスプレイアセンブリ。
［１６］
前記複数のルーバーが、隣接するルーバー間で約２０μｍ〜約１００μｍの幅を画定する、［１０］〜［１５］のいずれか一項に記載のディスプレイアセンブリ。
［１７］
前記複数のルーバーが、隣接するルーバー間で約３０μｍ〜約５０μｍであるルーバーの幅を画定する、［１０］〜［１６］のいずれか一項に記載のディスプレイアセンブリ。
［１８］
前記複数の微細構造の各微細構造が、約２０μｍ〜約１００μｍである微細構造の幅を画定する、［１０］〜［１７］のいずれか一項に記載のディスプレイアセンブリ。
［１９］
前記ルーバーの幅と前記微細構造の幅とが、実質的に同じである、［１０］〜［１８］のいずれか一項に記載のディスプレイアセンブリ。
［２０］
前記複数のルーバーが、約０〜約５度の傾斜角度を画定する、［１０］〜［１９］のいずれか一項に記載のディスプレイアセンブリ。
［２１］
前記複数のルーバーが、光吸収材料を含み、各ルーバーが、光透過性材料によって分離されている、［１０］〜［２０］のいずれか一項に記載のディスプレイアセンブリ。
［２２］
前記複数の微細構造が、前記光透過性材料を含む、［２１］に記載のディスプレイアセンブリ。
［２３］
第１の実質的に滑らかな主表面及び第２の構造化表面を含む拡散フィルムを更に備え、前記第２の構造化表面が、複数のレンズ状プリズムを含み、前記レンズ状プリズムが、前記複数のルーバーに対して実質的に垂直に整列され、前記光制御フィルムの前記第１の主表面を出る光が、前記拡散フィルムに入り、前記第１の実質的に滑らかな主表面又は前記第２の構造化表面のうちの１つを通って出る、［１０］〜［２０］のいずれか一項に記載のディスプレイアセンブリ。
［２４］
前記光制御フィルムの前記第１の主表面を出る前記光が、前記拡散フィルムの前記第１の実質的に滑らかな主表面に入り、前記拡散フィルムの前記第２の構造化表面から出る、［２３］に記載のディスプレイアセンブリ。
［２５］
前記拡散フィルムの前記第１の実質的に滑らかな主表面が、前記光制御フィルムの前記第１の主表面に光学的に結合されている、［２４］に記載のディスプレイアセンブリ。
［２６］
前記光制御フィルムの前記第１の主表面を出る前記光が、前記拡散フィルムの前記第２の構造化表面に入り、前記拡散フィルムの前記第１の実質的に滑らかな主表面を出る、［２３］に記載のディスプレイアセンブリ。
［２７］
前記拡散フィルムの前記第１の実質的に滑らかな主表面又は前記第２の構造化表面を通って出る光が、前記第１の平面に実質的に垂直な第２の平面内に第２のセットの特性視野角を画定し、前記第２のセットの特性視野角が、前記光制御フィルムの前記第１の主表面の前記法線から測定して約３０度〜約６０度の視野半角を画定する、［２３］〜［２６］のいずれか一項に記載のディスプレイアセンブリ。
［２８］
前記バックライトから発し、前記拡散フィルムを通って出る光の少なくとも８０％が、前記第２のセットの特性視野角内にある、［２７］に記載のディスプレイアセンブリ。
［２９］
前記第１のセットの特性視野角が、垂直面に対応し、前記第２のセット特性視野角が、水平面に対応する、［２７］に記載のディスプレイアセンブリ。
［３０］
ポリマー材料の第１の表面上に複数のスロットを形成することと、
前記ポリマー材料の第２の主表面上に複数の直線的微細構造を形成することと、
前記ポリマー材料を硬化させることと、
光吸収材料で前記スロットを埋め戻して、前記第２の主表面上に複数のルーバーを形成することと、
を含む、光制御フィルムを形成する方法。
［３１］
前記複数のスロットを形成することが、
前記ポリマー材料の前記第１の主表面内に前記複数のスロットを形成するように構成された第１のローラーの上に前記ポリマー材料を通すことと、
第１のダイを回転させて、前記光制御フィルムの前記第１の表面上に複数のスロットを形成することと、
光吸収材料で前記複数のスロットを埋め戻して、前記複数のルーバーを形成することと、
を含む、［２７］に記載の方法。
［３２］
前記複数の直線的微細構造を形成することが、
前記ポリマー材料の前記第２の主表面上に前記複数の微細構造を形成するように構成された第２のローラーの上に前記ポリマー材料を通すことを含む、
［２７］又は［２８］に記載の方法。
［３３］
各ルーバーを対応する直線的微細構造に位置合わせすることを更に含む、［２７］〜［２９］のいずれか一項に記載の方法。
［３４］
光制御フィルムであって、
光吸収材料を含む複数のルーバーを含むルーバーフィルムであって、各ルーバーが光透過性材料によって分離され、前記ルーバーフィルムが前記光制御フィルムの第１の主表面を画定する、ルーバーフィルムと、
前記光制御フィルムの第２の主表面を形成する、複数の直線的微細構造を含む転向フィルムであって、各直線的微細構造が、対応するルーバーと実質的に整列する、転向フィルムと、
前記ルーバーフィルムと前記転向フィルムとの間の光学的透過層と、
を備える、光制御フィルム。
［３５］
前記光透過性材料、前記光学的透過層、及び前記転向フィルムが全て、同じポリマー材料から形成された、［３１］に記載の光制御フィルム。
［３６］
前記光透過性材料、前記光学的透過層、及び前記転向フィルムが全て、単一のシームレスフィルムとして形成された、［３１］に記載の光制御フィルム。
【手続補正２】
【補正対象書類名】特許請求の範囲
【補正対象項目名】全文
【補正方法】変更
【補正の内容】
【特許請求の範囲】
【請求項１】
第１及び第２の主表面を画定する基材を備える光制御フィルムであって、
前記第１の主表面が、前記第１の主表面の法線に対して実質的に垂直な第１の方向に延びる複数のルーバーを含み、
前記第２の主表面が、前記第１の方向に延びる複数の直線的微細構造を含む、
光制御フィルム。
【請求項２】
前記複数のルーバーの各ルーバーが、前記複数の微細構造の対応する微細構造と実質的に整列している、請求項１に記載の光制御フィルム。
【請求項３】
光出力面を画定するバックライトと、
前記光出力面に隣接して配置された光制御フィルムであって、
第１及び第２の主表面を画定する基材を含む、光制御フィルムと、
を備えるディスプレイアセンブリであって、
前記第１の主表面が、前記第１の主表面の法線に対して実質的に垂直な第１の方向に延びる複数のルーバーを含み、
前記第２の主表面が、前記第１の方向に延びる複数の直線的微細構造を含み、
前記バックライトからの光が、前記光出力面から出て、前記光制御フィルムの前記第２の主表面に入り、前記第１の主表面を通って出る、
ディスプレイアセンブリ。
【請求項４】
前記光制御フィルムの前記第１の主表面を出る光が、前記第１の方向に垂直な第１の平面内に第１のセットの特性視野角を画定し、前記第１のセットの特性視野角が、前記光制御フィルムの前記第１の主表面の前記法線から測定して、約２０〜約７０度の視野半角を画定する、請求項３に記載のディスプレイアセンブリ。
【請求項５】
第１の実質的に滑らかな主表面及び第２の構造化表面を含む拡散フィルムを更に備え、前記第２の構造化表面が、複数のレンズ状プリズムを含み、前記レンズ状プリズムが、前記複数のルーバーに対して実質的に垂直に整列され、前記光制御フィルムの前記第１の主表面を出る光が、前記拡散フィルムに入り、前記第１の実質的に滑らかな主表面又は前記第２の構造化表面のうちの１つを通って出る、請求項３に記載のディスプレイアセンブリ。
【請求項６】
ポリマー材料の第１の表面上に複数のスロットを形成することと、
前記ポリマー材料の第２の主表面上に複数の直線的微細構造を形成することと、
前記ポリマー材料を硬化させることと、
光吸収材料で前記スロットを埋め戻して、前記第２の主表面上に複数のルーバーを形成することと、
を含む、光制御フィルムの製造方法。
【請求項７】
光制御フィルムであって、
光吸収材料を含む複数のルーバーを含むルーバーフィルムであって、各ルーバーが光透過性材料によって分離され、前記ルーバーフィルムが前記光制御フィルムの第１の主表面を画定する、ルーバーフィルムと、
前記光制御フィルムの第２の主表面を形成する、複数の直線的微細構造を含む転向フィルムであって、各直線的微細構造が、対応するルーバーと実質的に整列する、転向フィルムと、
前記ルーバーフィルムと前記転向フィルムとの間の光学的透過層と、
を備える、光制御フィルム。
【請求項８】
前記光透過性材料、前記光学的透過層、及び前記転向フィルムが全て、同じポリマー材料から形成された、請求項７に記載の光制御フィルム。